(57)【要約】【課題】  本発明の目的は、上記従来の課題を解決することを目的とする。また、使い勝手の良い、情報の記録再生技術又は記録媒体を提供することを目的とする。【解決手段】  前記目的を達成するため、本発明は、画像音声情報と、前記画像音声情報を識別するための識別情報と、前記画像音声情報に関するＵＲＬ情報と、が記録された記録媒体とする。  また、画像音声情報と前記画像音声情報に関するＵＲＬ情報とが記録された記録媒体を再生する再生手段と、前記再生手段により再生された前記ＵＲＬ情報に基づき、前記記録媒体に記録された画像音声情報を識別する識別情報を、前記ＵＲＬを有するサーバへ送信する送信手段と、前記サーバから前記識別情報に対応する画像音声情報を受信する受信手段と、を有する再生技術とする。【選択図】  図１
2010049801.tif 000002
【特許請求の範囲】
【請求項１】
画像音声情報と、
前記画像音声情報を識別するための識別情報と、
前記画像音声情報に関するＵＲＬ情報と、が記録された記録媒体。
【請求項２】
前記画像音声情報に関するＵＲＬ情報とは、
前記画像音声情報はＭＰＥＧ圧縮された状態で記録されており、
前記画像音声情報に関するサービス情報を提供するサーバのＵＲＬ情報である
ことを特徴とする請求項１に記載の記録媒体。
【請求項３】
画像音声情報と前記画像音声情報に関するＵＲＬ情報とが記録された記録媒体
を再生する再生手段と、
前記再生手段により再生された前記ＵＲＬ情報に基づき、前記記録媒体に記録
された画像音声情報を識別する識別情報を前記ＵＲＬを有するサーバへ送信する
送信手段と、
前記サーバから前記識別情報に対応する画像音声情報や文字情報を受信する受
信手段と、を有する再生装置。
【請求項４】
請求項３に記載の再生装置であって、
画像音声情報に関する識別情報を記憶する記憶手段を有し、
前記再生手段により前記記録媒体から再生された画像音声情報の識別情報が、
前記記憶手段に記憶されていない場合には、前記識別情報を前記記憶手段に記憶
する再生装置。
【請求項５】
請求項４に記載の再生装置であって、
情報を表示する表示手段に情報を出力する出力手段を有し、
前記出力手段は、前記サーバから受信した画像音声情報のうち、前記記憶手段
に登録されていない識別情報の画像音声情報と、前記記憶手段に登録されている
画像音声情報と、を区別して情報を前記表示手段に出力する再生装置。
【請求項６】
請求項５に記載の再生装置であって、
ＭＰＥＧ圧縮された情報を伸張する伸張手段を有し、
前記記録媒体に記録された画像音声情報を伸張して、前記表示手段に情報を出
力する再生装置。
【請求項７】
コンテンツ情報を再生する再生手段と、
前記再生したコンテンツ情報の識別情報を記憶する記憶手段と、
前記記憶手段に記憶された複数の識別情報を送信する送信手段と、
前記送信した複数の識別情報に関連する情報のうち、前記複数の識別情報の各
々が示すコンテンツ情報でない情報を受信する再生装置。
【請求項８】
請求項７に記載の再生装置であって、
表示手段に情報を出力する出力手段を有し、
前記受信した情報を前記表示手段に出力する再生装置。
【発明の詳細な説明】
【技術分野】
【０００１】
本発明は、情報を記録又は再生する記録再生技術に関する。特に、サーバへ接
続する通信手段を有する記録再生技術に関に関する。
【背景技術】
【０００２】
音楽、ビデオなどのコンテンツは、CD、DVDのような記録媒体へ記録されて市
場で扱われている。特に近年、映画コンテンツのDVDビデオには、メイキングビ
デオクリップ、ゲーム、近日公開予定の映画の広告ビデオクリップや、その他資
料等であるサービスコンテンツが含まれることも多い。これらのサービスコンテ
ンツは、時代によっては陳腐化することもある。
【０００３】
そこで、最近は、記録媒体に記録されたコンテンツのＩＤ情報（以下、コンテ
ンツＩＤと呼ぶ）を当該記録媒体に記録しておき、記録再生装置が、前記記録媒
体を再生した際に、前記コンテンツＩＤをサービスサーバへ伝送し、前記コンテ
ンツのＩＤに基いて検索された当該コンテンツの付加情報(例えば、音楽コンテ
ンツであれば、歌詞の内容、歌手のプロフィール)を前記サービスサーバから受
信し、当該付加情報を再生し、又は前記記録媒体などに記録する技術が提案され
ている。（例えば、特許文献１等参照）
【先行技術文献】
【特許文献】
【０００４】
【特許文献１】特開２００２−２６９９００号公報
【発明の概要】
【発明が解決しようとする課題】
【０００５】
上記従来技術では、ユーザが伝送先のサービスサーバのアドレスを予め検索し
た上で、前記サービスサーバへアクセスし、前記コンテンツに関する付加情報を
取得していた。
【０００６】
しかし、ユーザがサービスサーバのアドレスを検索せずに、記録媒体に記録さ
れたコンテンツに関する付加情報を取得することについては考慮されていなかっ
た。
また、上記従来技術では、記録媒体に記録されたコンテンツIDから、識別情報
を生成して専用のサービスサーバへ接続する必要があり、コンテンツ提供側の新
たなサービス展開に対応することが困難であった。
また、上記従来技術では、記録媒体に記録されているコンテンツに関する付加
情報であるが、前記記録媒体の所有者などが既に所有している付加情報でも、誤
って取得してしまうという課題があった。
【０００７】
本発明の目的は、上記従来の課題を解決することを目的とする。また、使い勝
手の良い、情報の記録再生技術又は記録媒体を提供することを目的とする。
【課題を解決するための手段】
【０００８】
前記目的を達成するため、本発明は、画像音声情報と、前記画像音声情報を識
別するための識別情報と、前記画像音声情報に関するＵＲＬ情報と、が記録され
た記録媒体とする。
【０００９】
また、画像音声情報と前記画像音声情報に関するＵＲＬ情報とが記録された記
録媒体を再生する再生手段と、前記再生手段により再生された前記ＵＲＬ情報に
基づき、前記記録媒体に記録された画像音声情報を識別する識別情報を、前記Ｕ
ＲＬを有するサーバへ送信する送信手段と、前記サーバから前記識別情報に対応
する画像音声情報を受信する受信手段と、を有する再生技術とする。
【００１０】
また、コンテンツ情報を再生する再生手段と、前記再生したコンテンツ情報の
識別情報を記憶する記憶手段と、前記記憶手段に記憶された複数の識別情報を送
信する送信手段と、前記送信した複数の識別情報に関連する情報のうち、前記複
数の識別情報の各々が示すコンテンツ情報でない情報を受信する再生技術とする
。
【発明の効果】
【００１１】
本発明は、使い勝手の良い、情報の記録再生技術又は記録媒体を提供すること
ができる。
【図面の簡単な説明】
【００１２】
【図１】本発明の実施形態である再生装置とサーバの接続形態を示したシステム図である。
【図２】本発明の実施形態である再生装置で読み込むコンテンツの記録データ構成を示す図である。
【図３】本発明の実施形態である再生装置と、サーバの処理フローを示す図である。
【図４】本発明の実施形態である再生装置とサーバにより提供される、サービス画面例である。
【発明を実施するための形態】
【００１３】
以下、本発明の実施形態を説明する。
なお、本実施形態において、記録媒体は、ＤＶＤであるものとして説明をする
が、本発明はこれに限らず、ハードディスク、ＭＤ（ＭＩＮＩ  ＤＩＳＣ）、Ｃ
Ｄ（ＣＯＮＰＡＣＴ  ＤＩＳＣ）、磁気ディスク、半導体メモリなど、情報を記
録する記録媒体に適応することができる。
【００１４】
先ず、図１は本発明を適用した一実施形態である再生装置とサーバの接続を示
す構成図である。
図１において、再生装置１００は、サーバ１０１、ネットワーク１０２、表示
装置１０３等から構成される。表示装置１０３は再生装置１００と一体式でも良
い。
【００１５】
システム制御回路１０４は、CPUと管理用データベース（第２の実施形態で説
明する）が記録されるメモリとで構成され、再生のための各種装置や各種処理を
制御し、また電源、周辺装置の状態を監視する。なお、システム制御回路１０４
が有するメモリは不揮発性メモリやフラッシュメモリでもよし、持ち運びが可能
な光ディスク、磁気ディスク、光磁気ディスク、半導体メモリなどの記録媒体で
もよい。
【００１６】
媒体制御回路１０５は、ＤＶＤ１０６からのデータ読み出し制御を行う。再生
制御回路１０７は、ＤＶＤ制御回路１０５にて読み出したデータをもとに、表示
可能な形式に変換をし、その他必要に応じてOSD(On Screen Display)を重ねて表
示装置１０３へ出力する。ネットワーク制御回路１０８は、ＤＶＤ１０６から読
み出したURLや、予め機器に登録されているURLに従い、ネットワーク１０２経由
でサーバ１０３へ接続し、データの送受信制御を行う。データベース制御回路１
０９は、ＤＶＤ１０６から読み出した、コンテンツIDや、コンテンツURL等の情
報をメモリへ登録し、管理する。
【００１７】
図２は、本発明を適用した一実施形態である再生装置で扱うＤＶＤに記録され
たデータ構成例を示す図である。
【００１８】
図２において、２００はコンテンツIDを示し、一般的にはＤＶＤに記録された
コンテンツに対しユニークなIDが与えられ記録されている。これをサーバへ送信
し、サーバ側がユーザのコンテンツを識別することでユーザに合わせた情報の提
供に利用する。あるいは、サーバから受信した情報をもとに、再生装置側でコン
テンツID２００と照合して、ユーザへ重複情報等があれば提示するUI(User Inte
rface)を実現できる。２０１はコンテンツURLを示し、コンテンツ提供側がサー
ビスを提供するための接続先情報を記録する。２０２は管理データを示し、以下
に説明するコンテンツ等を管理するための情報を記録したものである。２０３は
主コンテンツを示し、例えば映画のコンテンツであれば本編の内容が記録されて
いる。これは、画像音声情報である場合には、ＭＰＥＧ方式などにより圧縮して
記録されている構成としてもよい。２０４は副コンテンツを示し、例えば映画の
コンテンツであればディレクターズカット(本編編集時に採用されなかったシー
ン集)やメイキング(本編撮影時や作成時の過程を記録したコンテンツ)、NG編(俳
優のミステイクシーン集)等が記録されている。２０５はその他データを示し、
コンテンツに関する付加情報等、コンテンツ特有のメニュー表示に使用されるデ
ータや、メニューから選択して再生されるデータが記録されている。
【００１９】
図３は、本発明を適用した一実施形態である再生装置でのコンテンツ再生時と
、サーバ接続時の処理フローを示す図である。(実施例１)
図３において、（１）は、再生装置でのコンテンツ再生時とサーバへの接続の
処理フローを示す。（２）はサーバでの接続時の処理フローを示す。
【００２０】
図３（１）において、ステップ３００で、ＤＶＤ制御回路１０５は、ＤＶＤ１
０６からコンテンツID２００読み込みを行う。
【００２１】
次に、ステップ３０１で、ＤＶＤ制御回路１０５は、ＤＶＤ１０６からコンテ
ンツURL２０１を読み込む。その後、ステップ３０４にてシステム制御回路１０
４が、ＤＶＤ制御回路１０５が読み込んだデータから、再生制御回路１０７にて
通常の再生処理を行う。
なお、ステップ３０２、ステップ３０３については第２の実施形態で説明する
ためのものであり、本実施形態ではステップ３０２、ステップ３０３の処理は行
わなくてもよい。但し、これを行ってもよい。
【００２２】
ステップ３０５においては、サービスコンテンツを再生すべき又は取得すべき
要求があるか否かを判断し、要求があると判断すると、ステップ３０６にてネッ
トワーク制御回路１０８がコンテンツURL２０１で示される接続先へ接続する。
なお、サービスコンテンツを再生すべき又は取得すべき要求は、例えば記録媒
体（図２中の２０５の領域等）にサービスコンテンツを再生すべきことを示す情
報やサービスコンテンツを取得すべきことを示す情報を記録しておき、これを再
生することにより判断する構成としてもよいし、ユーザに要求を入力させる構成
としてもよい。
【００２３】
次に、ステップ３０７にて、ネットワーク制御回路１０８がコンテンツID２０
０をサーバ１０１へ送信し、ステップ３０８にてサーバ１０１より提供されるサ
ービスコンテンツをネットワーク制御回路１０８が受信する。ステップ３０８に
て受信した、もしくは受信中のサービスコンテンツから、ステップ３０９にてシ
ステム制御回路１０４が適宜再生制御回路１０７へ受信したデータを送り、サー
ビスコンテンツを再生する。
【００２４】
図３（２）において、ステップ３１０ではステップ３０７にて再生装置１００
より送信されたコンテンツID２００をサーバ１０１が受信する。
【００２５】
次に、ステップ３１１では、サーバ１０１がコンテンツID２００に対応するサ
ービスコンテンツを選択して、再生装置１００へ送信するための情報を読み出し
、又は生成する。その後、ステップ３１２にて、サーバ１０１がサービスコンテ
ンツを再生装置１００へ送信する。
【００２６】
上記により、ユーザはサービスコンテンツを入手するために接続先URLの入力
と言った、煩雑は操作を行うことなくサービス提供サイトへ接続することが可能
となる。また、コンテンツ提供側は、コンテンツ毎に専用のサービス提供サイト
のURLを設定して提供でき、コンテンツを購入したユーザ向けに特化した、使い
勝手の良いサービスを容易に提供することが可能となる。例えば、ユーザの再生
しているコンテンツが古いものであっても、再生している時期や、コンテンツの
種別に合ったサービスコンテンツの提供が可能となり、何時でも時代や流行に合
ったサービスコンテンツをユーザが利用できるので、コンテンツ提供側のビジネ
ス展開と、ユーザ側の使い勝手向上に貢献することができる。
【００２７】
また、本実施形態では、記録媒体に記録されたコンテンツIDだけでなく、サー
バへ接続するためのURL(Uniform Resource Locator)などの付加情報を読み込み
、当該サーバへ接続する機能と、コンテンツIDを送信する機能を有することで、
コンテンツ提供側が、ユーザに合ったサービス情報を判断して提供することが容
易となる。
【００２８】
次に、第二の実施形態について説明をする。本実施形態では再生装置でのコン
テンツ再生時と、サーバ接続時の処理フローを説明する。
【００２９】
図３（１）において、ステップ３００では、ＤＶＤ制御回路１０５が、ＤＶＤ
１０６からコンテンツID２００読み込みを行う。続いて、ステップ３０１では、
ＤＶＤ制御回路１０５が、ＤＶＤ１０６からコンテンツURL２０１を読み込む。
実施例２では、ステップ３０２にて、データベース制御回路１０９が、コンテン
ツID２００や、コンテンツURL２０１が、データベース制御回路１０９が有する
メモリに記録された管理用データベースへ登録されていないと判断した場合に、
ステップ３０３にて、データベース制御回路１０９が、データベースへの登録処
理を行う。その後、ステップ３０４にて通常の再生処理を行う。
【００３０】
その後、ステップ３０４以降の処理については、第1の実施形態と同様なので
説明を省略する。
【００３１】
なお、前記管理用データベースに登録するコンテンツＩＤは、記録媒体から読
み出したコンテンツのコンテンツＩＤに限らず、ネットワームなどを介して取得
したコンテンツのコンテンツＩＤを登録してもよい。また、ユーザがコンテンツ
ＩＤを登録する構成としてもよい。
【００３２】
このようにすることにより、ユーザが既に試聴したコンテンツや既に所有して
いるコンテンツをより多く登録しておくことが出来る。
【００３３】
また、本実施形態では、再生装置がコンテンツＩＤ２００をサーバに送信する
際に、再生装置は、前記管理用データベースに登録されている他のコンテンツＩ
Ｄをサーバに送信するような構成にしてもよい。
【００３４】
そして、サーバ１０１は、前記他のコンテンツＩＤに関するサービスコンテン
ツも選択して、読み出し又は生成し、前記再生装置に送信する。これは、複数の
コンテンツＩＤをサーバに送信する構成とし、前記装着されている記録媒体のコ
ンテンツのコンテンツＩＤ２００と他のコンテンツＩＤとを区別しなくてもよい
。
【００３５】
このような構成にすることにより、より多くのサービスコンテンツをサーバか
ら送信でき、また再生装置側は受信することができる。
【００３６】
また、サーバ１０１は、前記コンテンツＩＤ２００に対応するサービスコンテ
ンツを選択し、前記選択したサービスコンテンツを前記再生装置に送信する前に
、前記他のコンテンツＩＤと前記選択したサービスコンテンツとの対応関係を検
索する。そして、前記他のコンテンツＩＤのコンテンツに関するサービスコンテ
ンツを送信しようとしている場合には、そのサービスコンテンツは既に前記再生
装置に登録されているコンテンツＩＤのコンテンツ自体のサービスコンテンツで
あると判断する。そして、当該サービスコンテンツを前記再生装置に送信しない
ようにする。
【００３７】
例えば、ＤＶＤ１０６に映画の１作目が記録されており、コンテンツＩＤ２０
０が１作目の映画であることを示しているとする。一方で、２作目の映画のコン
テンツＩＤが既に管理用データベースに登録されているとする。この場合、再生
装置は、コンテンツＩＤ２００だけでなく、２作目の映画のコンテンツＩＤもサ
ーバに送信する構成とする。
【００３８】
そして、サーバ１０１は、コンテンツＩＤ２００に対応するサービスコンテン
ツとして映画の２作目についてのサービスコンテンツを送信するところ、既に再
生装置１００が２作目の映画のコンテンツＩＤが登録されていることから、２作
目の映画についてのサービスコンテンツは再生装置１００に送信しないようにす
る。
【００３９】
これにより、既に再生装置に登録されているコンテンツＩＤのコンテンツ自体
のサービスコンテンツを、サーバが再生装置に送信するのを低減できる。
【００４０】
上記により、ユーザはサービスコンテンツを入手するために接続先URLの入力
と言った、煩雑は操作を行うことなくサービス提供サイトへ接続することが可能
となる。また、コンテンツ提供側は、コンテンツ毎に専用のサービス提供サイト
のURLを設定して提供でき、コンテンツを購入したユーザ向けに特化した、使い
勝手の良いサービスを容易に提供することが可能となるだけでなく、ユーザの所
有しているコンテンツの情報を活用し、使い勝手の良いサービスコンテンツの提
供が可能となる。これは、サーバの機能として提供しても良いし、再生装置の機
能として提供しても良い。
【００４１】
図４は、本発明を適用した一実施形態である再生装置とサーバの接続時のサー
ビス画面を示す画面例である。
【００４２】
図４において、４００はネットワーク経由で提供される、コンテンツ購入サー
ビスの画面例を示したものである。４０１はサービス画面のタイトルを示し、該
画面のサービス内容を端的に表すタイトルが表示される。ここでは、コンテンツ
購入サービス画面なので、「コンテンツ一覧」と表示されている。４０２はユー
ザが選択した項目について、購入するための画面へ遷移するためのボタンである
。４０３は、サービス提供者が提供するコンテンツに関するタイトルの一覧を示
す。４０４は、現在表示中の画面での操作説明表示を示す。４０５は、ユーザが
既に所有しているタイトルであることを示すアイコン表示である。
【００４３】
なお、ユーザ既に所有しているコンテンツについては、タイトル表示を行わな
いようにしてもよいし、サーバから受信しないようにしてもよい。
【００４４】
４０６、４０７は、ユーザが購入するタイトルを設定するためのチェックボッ
クスを示す。４０６が購入対象でないことを示し、４０７が購入対象となってい
ることを示す。
【００４５】
このように、複数のコンテンツIDをデータベースに管理することで、従来は過
去に利用したサイトに関してのみ利用できた閉じたサービスでも、本発明によれ
ば、どのサービスサイトであっても、ユーザが初めて利用する場合においても、
上記のユーザにとって使い勝手の良いUIで利用できるようになる。また、コンテ
ンツ提供側も、初めて利用するユーザに対しても、趣向に合わせたお奨めのタイ
トルを提示するサービス等も提供可能となる。
【００４６】
なお、本実施形態においては、再生装置が管理用データベースを登録している
構成について説明したが、サーバが管理用データベースを登録する構成としても
同様の効果を得ることが出来る。
【００４７】
以上、本実施形態によれば、ＤＶＤに記録されたコンテンツIDだけでなく、サ
ーバへ接続するためのURLなどの付加情報を読み込み、当該サーバへ接続する機
能と、コンテンツIDを送信する機能を有することで、コンテンツ提供側が、ユー
ザに合ったサービス情報を判断して提供することが容易となる。
【００４８】
また、上記コンテンツIDや、その他の付加情報をデータベースに登録管理する
ことで、コンテンツ提供側が多様なサービス提供の展開に活用できる。
【符号の説明】
【００４９】
１００…再生装置、１０１…サーバ、１０２…ネットワーク、１０３…表示装
置、１０４…システム制御回路、１０５…ＤＶＤ制御回路、１０６…ＤＶＤ、１
０７…再生制御回路、１０８…ネットワーク制御回路、１０９…データベース制
御回路。
【図１】
2010049801.tif 000003
【図２】
2010049801.tif 000004
【図３】
2010049801.tif 000005
【図４】
2010049801.tif 000006
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
記録媒体に記録された画像音声コンテンツを再生する再生装置であって、
前記記録媒体には、第１の画像音声コンテンツと、前記第１の画像音声コンテンツを識別するための識別情報と、前記第１の画像音声コンテンツに関連した第２のコンテンツの取得先を示すＵＲＬ情報と、前記第２のコンテンツを取得あるいは出力させるための付加データと、前記第１の画像音声コンテンツのメニュー表示に用いられるメニューデータと、前記第１の画像音声コンテンツと前記付加データと前記メニューデータを管理する管理データが記録されており、
前記記録媒体を再生する再生手段と、
ネットワーク通信手段と、
前記再生手段により再生したコンテンツあるいは前記ネットワーク通信手段により取得したコンテンツを出力する出力手段と、
前記再生手段およびネットワーク通信手段を制御する制御手段とを備え、
前記制御手段は、前記管理データにより管理される前記メニューデータを再生し、前記記録媒体に記録されている前記第１の画像音声コンテンツのメニュー表示を行い、
前記制御手段は、前記管理データにより管理される前記付加データを前記再生手段により再生し、再生した前記付加データに前記第２のコンテンツを取得する指示があった場合、前記ネットワーク通信手段を前記再生手段により再生した前記ＵＲＬ情報で示される前記第２のコンテンツの取得先に接続させ、前記再生手段により再生した前記識別情報を前記取得先に送信し、前記第２のコンテンツを取得させ、
前記制御手段は、前記管理データにより管理される前記付加データを前記再生手段により再生し、再生した前記付加データに前記第２のコンテンツを出力する指示があった場合、前記ネットワーク通信手段を前記再生手段により再生した前記ＵＲＬ情報で示される前記第２のコンテンツの取得先に接続させ、前記再生手段により再生した前記識別情報を前記取得先に送信し、前記第２のコンテンツを取得し出力させることを特徴とする再生装置。
【請求項２】
記録媒体に記録された画像音声コンテンツを再生する再生方法であって、
前記記録媒体には、第１の画像音声コンテンツと、前記第１の画像音声コンテンツを識別するための識別情報と、前記第１の画像音声コンテンツに関連した第２のコンテンツの取得先を示すＵＲＬ情報と、前記第２のコンテンツを取得あるいは出力させるための付加データと、前記第１の画像音声コンテンツのメニュー表示に用いられるメニューデータと、前記第１の画像音声コンテンツと前記付加データと前記メニューデータを管理する管理データが記録されており、
前記記録媒体を再生するステップと、
ネットワークを介して通信するステップと、
前記記録媒体より再生したコンテンツあるいは前記ネットワークを介して取得したコンテンツを出力するステップとを有し、
前記管理データにより管理される前記メニューデータを再生し、前記記録媒体に記録されている前記第１の画像音声コンテンツのメニュー表示を行い、
前記管理データにより管理される前記付加データを前記記録媒体より再生し、再生した前記付加データに前記第２のコンテンツを取得する指示があった場合、前記ネットワークを介して前記記録媒体より再生した前記ＵＲＬ情報で示される前記第２のコンテンツの取得先に接続し、前記記録媒体より再生した前記識別情報を前記取得先に送信して前記第２のコンテンツを取得し、
前記管理データにより管理される前記付加データを前記記録媒体より再生し、再生した前記付加データに前記第２のコンテンツを出力する指示があった場合、前記ネットワークを介して前記記録媒体より再生した前記ＵＲＬ情報で示される前記第２のコンテンツの取得先に接続し、前記記録媒体より再生した前記識別情報を前記取得先に送信して前記第２のコンテンツを取得し出力することを特徴とする再生方法。
【請求項３】
記録媒体に画像音声コンテンツを記録する記録方法であって、
第１の画像音声コンテンツと、
前記第１の画像音声コンテンツを識別するための識別情報と、
前記第１の画像音声コンテンツに関連した第２のコンテンツの取得先を示すＵＲＬ情報と、
前記第２のコンテンツを取得あるいは出力するための付加データと、前記第１の画像音声コンテンツのメニュー表示に用いられるメニューデータと、前記第１の画像音声コンテンツと前記付加データと前記メニューデータを管理する管理データとを前記記録媒体に記録し、
前記管理データにより管理される前記メニューデータは、前記第１の画像音声コンテンツのメニュー表示に用いられるものであり、
前記管理データにより管理される前記付加データが前記第２のコンテンツを取得するための付加データであるときには、前記付加データは、前記第１の画像音声コンテンツを再生する再生装置を前記ＵＲＬ情報で示される前記第２のコンテンツの取得先に接続させ、前記識別情報を前記接続先に送信して前記第２のコンテンツを取得するために用いられるものであり、
前記管理データにより管理される前記付加データが前記第２のコンテンツを出力するための付加データであるときには、前記付加データは、前記第１の画像音声コンテンツを再生する再生装置を前記ＵＲＬ情報で示される前記第２のコンテンツの取得先に接続させ、前記識別情報を前記接続先に送信して前記第２のコンテンツを取得し出力するために用いられるものであることを特徴とする記録方法。
【請求項４】
画像音声コンテンツが記録された記録媒体であって、
第１の画像音声コンテンツと、
前記第１の画像音声コンテンツを識別するための識別情報と、
前記第１の画像音声コンテンツに関連した第２のコンテンツの取得先を示すＵＲＬ情報と、
前記第２のコンテンツを取得あるいは出力するための付加データと、前記第１の画像音声コンテンツのメニュー表示に用いられるメニューデータと、前記第１の画像音声コンテンツと前記付加データと前記メニューデータを管理する管理データとが記録され、
前記管理データにより管理される前記メニューデータは、前記第１の画像音声コンテンツのメニュー表示に用いられるものであり、
前記管理データにより管理される前記付加データは、前記付加データにより前記第２のコンテンツを取得する指示があった場合、前記第１の画像音声コンテンツを再生する再生装置を前記ＵＲＬ情報で示される前記第２のコンテンツの取得先に接続させ、前記識別情報を前記接続先に送信して前記第２のコンテンツを取得するために用いられるものであり、
前記管理データにより管理される前記付加データは、前記付加データにより前記第２のコンテンツを出力する指示があった場合、前記第１の画像音声コンテンツを再生する再生装置を前記ＵＲＬ情報で示される前記第２のコンテンツの取得先に接続させ、前記識別情報を前記接続先に送信して前記第２のコンテンツを取得し出力するために用いられるものであることを特徴とする記録媒体。
【請求項５】
画像音声情報と、
前記画像音声情報を識別するための識別情報と、
前記画像音声情報に関するＵＲＬ情報と、が記録された記録媒体。